(57)【要約】【課題】迅速な作業が要求される救急部門や看護師の仕事等の医療分野で医療要機器をスタンドのポール等に固定する作業の負担軽減と時間短縮とをもたらすとともに、高齢者や身体障害者等に対する福祉分野で手先が不自由な高齢者や身体障害者でも器具等を容易に固定し得るようにすることにある。【解決手段】基部１ａと、その基部に一体的に結合されその基部に対向する当接部１ｂと、その当接部に向けて基部に形成された支持孔１ｃと、基部にその支持孔と同心に形成された雌ねじ１ｄとを有する固定具本体１と、支持孔１ｃ内に進退移動可能および回動可能に貫通する把持軸２と、その把持軸にその半径方向に摺動可能に支持された、雌ねじ１ｄに螺合可能な割り雄ねじ部材３と、把持軸２に回動可能に結合されたハンドル４と、割り雄ねじ部材３を、把持軸２に対するハンドル４の、その割り雄ねじ部材の雄ねじのねじ込み方向の回動により拡径させ、その割り雄ねじ部材の雄ねじの戻り方向の回動により縮径させるカム機構５とを具えてなるワンアクション固定具である。【選択図】　　　　図１
2004049892.tif 000002
【特許請求の範囲】
【請求項１】
基部と、その基部に一体的に結合されると共にその基部に対向する当接部と、前記当接部に向けて前記基部に形成された支持孔と、前記基部にその支持孔と同心にかつその支持孔に対し前記当接部と反対の側に位置するように形成された雌ねじとを有する固定具本体と、
前記支持孔内に進退移動可能および回動可能に貫通する把持軸と、
前記把持軸にその半径方向に摺動可能に支持された、前記雌ねじに螺合可能な割り雄ねじ部材と、
前記把持軸に回動可能に結合されたハンドルと、
前記割り雄ねじ部材を、前記把持軸に対する前記ハンドルの、その割り雄ねじ部材の雄ねじのねじ込み方向の回動により拡径させ、その割り雄ねじ部材の雄ねじの戻り方向の回動により縮径させるカム機構と、
を具えてなる、ワンアクション固定具。
【請求項２】
前記割り雄ねじ部材は二分割されていることを特徴とする、請求項１記載のワンアクション固定具。
【請求項３】
前記カム機構は、
前記ハンドルに基部を固定されるとともに前記把持軸の軸線の周囲で旋回可能にその把持軸に挿入されたピンと、
前記ピンに嵌合するとともに前記割り雄ねじ部材の摺動方向と直交する方向に延在する長孔を形成されたカムとしての前記割り雄ねじ部材と、
を有する逆カム機構であることを特徴とする、請求項１または請求項２記載のワンアクション固定具。
【請求項４】
前記カム機構は、
前記把持軸の軸線と直交する平面内でその把持軸の半径方向に対し傾斜する方向に延在して前記各割り雄ねじ部材に対応する長孔を形成され、前記ハンドルに固定されるとともに、前記軸線の周囲で旋回可能にその把持軸に連結された蓋部と、
前記割り雄ねじ部材に一体的に突設され、前記蓋部の前記長孔に摺動可能に嵌合したピンと、
を有するものであることを特徴とする、請求項１または請求項２記載のワンアクション固定具。
【請求項５】
前記ハンドルは、
筒状のハンドルカバーと、
前記ハンドルカバー内にそのハンドルカバーに対し回動規制されつつ進退移動可能に挿入されたハンドル本体と、
前記ハンドル本体に一体的に突設され、前記ハンドルカバーに対する前記ハンドル本体の進退移動により、拡径位置に有る前記割り雄ねじ部材の半径方向内方端部の内方の縮径防止位置と、前記割り雄ねじ部材の半径方向内方端部から軸線方向に外れた縮径許容位置との間で進退移動するストッパーピンと、
を有することを特徴とする、請求項１から請求項４までの何れか記載のワンアクション固定具。
【発明の詳細な説明】
【０００１】
【発明の属する技術分野】
この発明は、迅速な作業が要求される救急部門や看護師の仕事等の医療分野および、手先が不自由な高齢者や身体障害者等に対する福祉分野等で用いられる固定具に関するものである。
【０００２】
【従来の技術】
医療の現場で点滴用機器などの医療機器をスタンドのポールに固定する際等に用いられる従来の固定具には、ねじを利用しているものと、ばねを利用しているものとがあり、ねじを利用している固定具は、固定具本体の当接部と向き合わせてその固定具本体に螺合させたねじを回転させて、ポール等の軸をその固定具本体の当接部とねじとで挟み、締め付けて固定している。また、ばねを利用している固定具は、ばねの力でポール等の軸を挟んで固定している。
【０００３】
【発明が解決しようとする課題】
しかしながら、ねじを利用している固定具は、着脱の際にねじを６〜８回転させる必要があるため、着脱に７〜１０秒かかってしまい、着脱作業の負担も大きいという問題がある。一方、ばねを利用している固定具は、着脱に要する時間はねじ式のものより短いが、ポール等の軸を把持する力が劣っているという問題がある。
【０００４】
【課題を解決するための手段およびその作用・効果】
この発明は上記課題を有利に解決した固定具を提供することを目的とするものであり、この発明のワンアクション固定具は、基部と、その基部に一体的に結合されると共にその基部に対向する当接部と、前記当接部に向けて前記基部に形成された支持孔と、前記基部にその支持孔と同心にかつその支持孔に対し前記当接部と反対の側に位置するように形成された雌ねじとを有する固定具本体と、前記支持孔内に進退移動可能および回動可能に貫通する把持軸と、前記把持軸にその半径方向に摺動可能に支持された、前記雌ねじに螺合可能な割り雄ねじ部材と、前記把持軸に回動可能に結合されたハンドルと、前記割り雄ねじ部材を、前記把持軸に対する前記ハンドルの、その割り雄ねじ部材の雄ねじのねじ込み方向の回動により拡径させ、その割り雄ねじ部材の雄ねじの戻り方向の回動により縮径させるカム機構と、を具えてなるものである。
【０００５】
かかるワンアクション固定具にあっては、把持軸に対してハンドルを割り雄ねじ部材の戻り方向に回動させると、カム機構が割り雄ねじ部材を縮径させ、これにより固定具本体の基部の支持孔に対し把持軸が摺動可能となるので、ハンドルの押し引き操作で把持軸の先端と固定具本体の当接部との間の空間に対するポール等の軸の出し入れが可能となる。
【０００６】
そして把持軸の先端と固定具本体の当接部との間の空間にポール等の軸を配置した状態で把持軸の先端をその軸に当接させて把持軸を回りにくくして、把持軸に対しハンドルを割り雄ねじ部材の雄ねじのねじ込み方向に回動させると、先ずカム機構が割り雄ねじ部材を拡径させ、これにより割り雄ねじ部材が固定具本体の基部の雌ねじと螺合し、ハンドルと共に割り雄ねじ部材および把持軸が回動してねじの作用でポール等の軸をその固定具本体の当接部と把持軸とで挟み、締め付けて固定する。またその固定状態でハンドルを割り雄ねじ部材の雄ねじの戻り方向に回動させると、把持軸はポール等の軸に当接して回りにくくなっているので、先ずカム機構が割り雄ねじ部材を縮径させ、これにより割り雄ねじ部材が固定具本体の基部の雌ねじから外れ、先のように固定具本体の基部の支持孔に対し把持軸が摺動可能となるので、ハンドルの押し引き操作で把持軸の先端と固定具本体の当接部との間の空間に対するポール等の軸の出し入れが可能となる。
【０００７】
従ってこのワンアクション固定具によれば、９０°程度ハンドルを回動させるだけでねじを利用した把持力を得ることができるので、ハンドルを持ち替えることなく着脱作業を行い得て着脱作業の負担を軽減し得ると共に、着脱に要する時間を大幅に短縮することができる。
【０００８】
それゆえこの発明のワンアクション固定具によれば、迅速な作業が要求される救急部門や看護師の仕事等の医療分野で、医療要機器をスタンドのポール等に固定する作業の負担軽減と時間短縮とをもたらすことができ、また高齢者や身体障害者等に対する福祉分野で、手先が不自由な高齢者や身体障害者でも器具等の固定を容易に行い得るようにすることができる。
【０００９】
なお、この発明のワンアクション固定具においては、前記割り雄ねじ部材は二分割されていても良く、かかる二分割の割り雄ねじ部材は、摺動抵抗を少なくして拡縮径を容易なものとすることができる。
【００１０】
また、この発明のワンアクション固定具においては、前記カム機構は、前記ハンドルに基部を固定されるとともに前記把持軸の軸線の周囲で旋回可能にその把持軸に挿入されたピンと、前記ピンに嵌合するとともに前記割り雄ねじ部材の摺動方向と直交する方向に延在する長孔を形成されたカムとしての前記割り雄ねじ部材とを有する逆カム機構（カムが従動節ゆえ）であってもよく、かかるピンと長孔との組合せによるカム機構は、簡易な構成であるので、安価でかつ信頼性の高いものとすることができる。
【００１１】
一方、この発明のワンアクション固定具においては、前記カム機構は、前記把持軸の軸線と直交する平面内でその把持軸の半径方向に対し傾斜する方向に延在して前記各割り雄ねじ部材に対応する長孔を形成され、前記ハンドルに固定されるとともに、前記軸線の周囲で旋回可能にその把持軸に連結された蓋部と、前記割り雄ねじ部材に一体的に突設され、前記蓋部の前記長孔に摺動可能に嵌合したピンと、を有するものであってもよく、このように蓋部をハンドルに固定するとともに旋回可能に把持軸に連結し、ピンを割り雄ねじ部材に一体的に突設して、割り雄ねじ部材に隣接する上記蓋部の長孔と嵌合させれば、把持軸とハンドルとを連結しつつ、ピンに加わる曲げモーメントを小さくし得るので、ピンの曲がりや長孔内面の齧りを防止し得てカム機構の耐久性を高めることができる。
【００１２】
またこの発明のワンアクション固定具においては、前記ハンドルは、筒状のハンドルカバーと、前記ハンドルカバー内にそのハンドルカバーに対し回動規制されつつ進退移動可能に挿入されたハンドル本体と、前記ハンドル本体に一体的に突設され、前記ハンドルカバーに対する前記ハンドル本体の進退移動により、拡径位置に有る前記割り雄ねじ部材の半径方向内方端部の内方の縮径防止位置と、前記割り雄ねじ部材の半径方向内方端部から軸線方向に外れた縮径許容位置との間で進退移動するストッパーピンと、を有していてもよい。
【００１３】
このようにハンドルを構成すれば、拡径した割り雄ねじ部材のねじの作用でポール等の軸を固定具本体の当接部と把持軸とで挟み、締め付けて固定した後に、ハンドル本体をハンドルカバーに対して前進移動させておくことで、ストッパーピンが縮径防止位置に前進移動しているので、たとえハンドルが誤って緩み方向に回されてカム機構が割り雄ねじ部材を縮径方向へ移動させようとしても、ストッパーピンが割り雄ねじ部材の半径方向内方端部と当接してその縮径を防止し、ひいては把持軸の締付け力の意図しない急激な緩みを防止することができる。そして、当該固定具をポール等の軸から外す必要がある場合には、ハンドル本体をハンドルカバーに対して後退移動させれば、割り雄ねじ部材の縮径方向への移動を妨げないように、ストッパーピンを割り雄ねじ部材の半径方向内方端部から軸線方向に外れた縮径許容位置に後退移動させることができる。
【００１４】
【発明の実施の形態】
以下に、この発明の実施の形態を実施例によって、図面に基づき詳細に説明する。ここに、図１（ａ）および（ｂ）は、この発明のワンアクション固定具の第１実施例を組み立て状態で示す縦断面図およびそのＡ−Ａ断面図、図２（ａ）および（ｂ）は、上記実施例のワンアクション固定具の固定具本体を示す半部断面図および側面図、図３（ａ）および（ｂ）は、上記実施例のワンアクション固定具の把持軸の軸部を示す正面図および側面図、図４（ａ）および（ｂ）は、上記実施例のワンアクション固定具の把持軸の割り雄ねじ部材案内部を示す正面図および側面図、図５（ａ）および（ｂ）は、上記実施例のワンアクション固定具のハンドルを示す正面図および側面図、図６（ａ）および（ｂ）は、上記実施例のワンアクション固定具の割り雄ねじ部材の半部を示す正面図および側面図、そして図７（ａ）および（ｂ）は、上記実施例のワンアクション固定具を軸に固定した状態で示す縦断面図およびそのＢ−Ｂ断面図である。
【００１５】
この第１実施例のワンアクション固定具は、図１に示すように、この実施例では全体的に角棒状をなす固定具本体１と、その固定具本体１に挿通される把持軸２とを具えており、その固定具本体１は、図２に示すように、基部１ａと、この実施例ではその基部１ａと一体に形成されてその基部１ａに対向する当接部１ｂと、その当接部１ｂに向けて基部１ａに形成された支持孔１ｃと、基部１ａにその支持孔１ｃと同心にかつその支持孔１ｃに対し当接部１ｂと反対の側に位置するように形成された雌ねじ１ｄとを有し、把持軸２は、その固定具本体１の支持孔１ｃ内に進退移動可能および回動可能に貫通する。
【００１６】
上記把持軸２はこの第１実施例では、図３に示すように、支持孔１ｃに摺動および回動可能に嵌まり合う軸部２ａと、その軸部２ａの一端部に一体に形成された大径部２ｂと、図４に示すように、その大径部２ｂと同径の蓋部２ｃと、その蓋部２ｃの中心部に一体に形成された小径の凸部２ｄとを有し、蓋部２ｃは、図示しない二本の小ねじで大径部２ｂに固定されている。ここで、大径部２ｂと蓋部２ｃとには、図３（ｂ），図４（ｂ）では左右方向へ直線的に延在する案内溝２ｅが互いに整列するようにそれぞれ形成され、また凸部２ｄには外周溝２ｆが形成され、また蓋部２ｃには、後述するカム機構５の二本のピン５ａが把持軸２の中心軸線Ｃの周囲である程度旋回できるように、把持軸２の中心軸線Ｃに対し周方向にある程度（図示例では概略６０°）に亘って延在する二つの長孔２ｇが形成されている。
【００１７】
さらにこの第１実施例のワンアクション固定具は、図１に示すように、上記把持軸２の互いに向かい合って整列する案内溝２ｅ内に収容されて軸部２ａの半径方向に摺動可能に支持された、上記雌ねじ１ｄに螺合可能な割り雄ねじ部材３を具えるとともに、図５に示すように、上記把持軸２の凸部２ｄと回動可能に嵌まり合う中央孔４ａおよび、その中央孔４ａに連通する半径方向ねじ孔４ｂを有するハンドル４を具えており、ここにおけるハンドル４は、その中央孔４ａ内に嵌め込まれた把持軸２の凸部２ｄの外周溝２ｆに、半径方向ねじ孔４ｂ内にねじ込まれた図示しないイモねじの先端部が嵌合することで、把持軸２に回動可能に結合されている。
【００１８】
またここにおける割り雄ねじ部材３は二分割されており、その各半部３ａは、図６に示すように、雄ねじの全周の一部（図示例では概略１／４）をなす雄ねじ部３ｂを有するとともに、その半部３ａの摺動方向と直交する方向（図１（ｂ）では左右方向、図６では上下方向）に延在しかつその半部３ａを厚み方向に貫通する長孔３ｃを有している。
【００１９】
さらにこの第１実施例のワンアクション固定具は、上記割り雄ねじ部材３を、把持軸２に対するハンドル４の、その割り雄ねじ部材３の雄ねじ部３ｂのねじ込み方向の回動により拡径させ、その割り雄ねじ部材３の雄ねじ部３ｂの戻り方向の回動により縮径させるカム機構５を具えており、ここにおけるカム機構５は、ハンドル４に形成された二本のピン孔４ｃ内にそれぞれ圧入されて基部を固定されるとともに把持軸２の中心軸線Ｃの周囲で旋回可能にその把持軸２の蓋部２ｃの長孔２ｇから案内溝２ｅ内に挿入された二本のピン５ａと、案内溝２ｅ内でそれらのピン５ａに摺動可能に嵌合するとともに割り雄ねじ部材３の摺動方向と直交する方向に延在する上記長孔３ｃを形成された、カムとしての、上記割り雄ねじ部材３の二つの半部３ａとを有して、逆カム機構（カムが従動節ゆえ）を構成している。
【００２０】
かかる第１実施例のワンアクション固定具にあっては、把持軸２に対してハンドル４を割り雄ねじ部材３の雄ねじ部３ｂの戻り方向（雄ねじ部３ｂが右ねじの場合はハンドル４の手前端から見て反時計方向）に回動させると、カム機構５が割り雄ねじ部材３を図１中実線で示すように縮径させ、これにより固定具本体１の基部１ａの支持孔１ｃに対し把持軸２の軸部２ａが摺動可能となるので、ハンドル４の押し引き操作で把持軸２の軸部２ａの先端と固定具本体１の当接部１ｂとの間の空間に対するポール等の軸の出し入れが可能となる。
【００２１】
そして図７に示すように、把持軸２の軸部２ａの先端と固定具本体１の当接部１ｂとの間の空間にポール等の軸６を配置した状態で、把持軸２の軸部２ａの先端をその軸６に当接させて摩擦で把持軸２を回りにくくして、把持軸２に対しハンドル４を割り雄ねじ部材３の雄ねじ部３ｂのねじ込み方向（雄ねじ部３ｂが右ねじの場合はハンドル４の手前端から見て時計方向）に回動させると、先ずカム機構５が割り雄ねじ部材３を図７中実線で示すとともに図１中仮想線で示すように拡径させ、これにより割り雄ねじ部材３の雄ねじ部３ｂが固定具本体１の基部１ａの雌ねじ１ｄと螺合し、ハンドル４と共に割り雄ねじ部材３および把持軸２が回動してねじの作用でポール等の軸６をその固定具本体１の当接部１ｂと把持軸２の軸部２ａとで挟み、締め付けて固定する。
【００２２】
またその固定状態でハンドル４を割り雄ねじ部材３の雄ねじ部３ｂの戻り方向に回動させると、把持軸２はポール等の軸６に当接して回りにくくなっているので、先ずカム機構５が割り雄ねじ部材３を図１中実線で示すように縮径させ、これにより割り雄ねじ部材３が固定具本体１の基部１ａの雌ねじ１ｄから外れ、先のように固定具本体１の基部１ａの支持孔１ｃに対し把持軸２の軸部２ａが摺動可能となるので、ハンドル４の押し引き操作で把持軸２の先端と固定具本体１の当接部１ｂとの間の空間に対するポール等の軸６の出し入れが可能となる。
【００２３】
従って、この第１実施例のワンアクション固定具によれば、９０°程度ハンドル４を回動させるだけでねじを利用した把持力を得ることができるので、ハンドル４を持ち替えることなく着脱作業を行い得て着脱作業の負担を軽減し得ると共に、着脱に要する時間を大幅に短縮することができる。
【００２４】
それゆえこの第１実施例のワンアクション固定具によれば、迅速な作業が要求される救急部門や看護師の仕事等の医療分野で、医療要機器をスタンドのポール等に固定する作業の負担軽減と時間短縮とをもたらすことができ、また高齢者や身体障害者等に対する福祉分野で、手先が不自由な高齢者や身体障害者でも器具等の固定を容易に行い得るようにすることができる。
【００２５】
しかもこの第１実施例のワンアクション固定具によれば、割り雄ねじ部材３が二つの半部３ａに二分割されているので、三分割以上の場合と比較して摺動抵抗を少なくして拡縮径を容易なものとすることができる。
【００２６】
さらにこの第１実施例のワンアクション固定具によれば、カム機構５が、ハンドル４に基部を固定されるとともに把持軸２の軸線Ｃの周囲で旋回可能にその把持軸２に挿入された二本のピン５ａと、それらのピン５ａに嵌合するとともに割り雄ねじ部材３の摺動方向と直交する方向に延在する長孔３ｃを形成されたカムとしての、割り雄ねじ部材３の半部３ａとを有する逆カム機構であり、このカム機構は、簡易な構成であるので、安価でかつ信頼性の高いものとすることができる。
【００２７】
図８（ａ）および（ｂ）は、この発明のワンアクション固定具の第２実施例を組み立て状態で示す縦断面図およびそのＣ−Ｃ断面図、図９（ａ）および（ｂ）は、上記実施例のワンアクション固定具の把持軸の軸部および大径部を示す正面図および側面図、図１０（ａ）および（ｂ）は、上記実施例のワンアクション固定具の蓋部を示す正面図およびそのＤ−Ｄ線に沿う断面図、図１１（ａ）および（ｂ）は、上記実施例のワンアクション固定具の割り雄ねじ部材の半部を示す正面図および側面図、図１２（ａ）および（ｂ）は、上記実施例のワンアクション固定具の連結部材を示す正面図およびそのＥ−Ｅ線に沿う断面図、図１３（ａ）および（ｂ）は、上記実施例のワンアクション固定具のハンドルカバーを示す正面図および側面図、図１４（ａ）および（ｂ）は、上記実施例のワンアクション固定具のハンドル本体を示す正面図および側面図そのＥ−Ｅ線に沿う断面図、そして図１５（ａ）および（ｂ）は、上記実施例のワンアクション固定具を軸に固定した状態で示す縦断面図およびそのＦ−Ｆ断面図である。
【００２８】
この第２実施例のワンアクション固定具は、図８に示すように、先の第１実施例と同様に、全体的に角棒状をなす固定具本体１と、その固定具本体１に挿通される把持軸２とを具えており、その固定具本体１は、図２に示すように、基部１ａと、その基部１ａと一体に形成されてその基部１ａに対向する当接部１ｂと、その当接部１ｂに向けて基部１ａに形成された支持孔１ｃと、基部１ａにその支持孔１ｃと同心にかつその支持孔１ｃに対し当接部１ｂと反対の側に位置するように形成された雌ねじ１ｄとを有し、把持軸２は、その固定具本体１の支持孔１ｃ内に進退移動可能および回動可能に貫通する。
【００２９】
上記把持軸２は、この第２実施例では、図９に示す如き、支持孔１ｃに摺動および回動可能に嵌まり合う軸部２ａと、その軸部２ａの一端部に一体に形成された大径部２ｂとを有するとともに、図１０に示す如き、大径部２ｂと同径で大径部２ｂと中心軸線Ｃを共通にする蓋部２ｃを有しており、ここで、大径部２ｂには、図９（ａ）では左右方向、図８（ａ），（ｂ）では上下方向へ直線的に延在する案内溝２ｅと、雌ねじが切られた二つのねじ孔２ｈとが形成されている。
【００３０】
また、蓋部２ｃには、この実施例では、図１０に示すように、中心軸線Ｃに関し対称に位置して中心軸線Ｃに対し周方向に弓形にある程度（図示例では概略４５°）に亘って延在する二つの案内長孔２ｉと、雌ねじが切られた四つのねじ孔２ｊと、中心軸線Ｃ上に位置する中心孔２ｋと、中心軸線Ｃに対し対称に位置して把持軸２の半径方向に対し傾斜して図では直線状に延在する二つのカム長孔２ｌとが形成されており、蓋部２ｃは、図８および図１５に示すように各案内長孔２ｉに後述するハンドル４側から挿通した小ねじを大径部２ｂのねじ孔２ｈに締着固定することで、その大径部２ｂに対し中心軸線Ｃ周りに概略４５°回動可能に、大径部２ｂに結合されている。
【００３１】
さらにこの第２実施例のワンアクション固定具は、図８に示すように、上記把持軸２の案内溝２ｅ内に収容されて軸部２ａの半径方向（図８（ａ），（ｂ）では上下方向）に摺動可能に支持された、上記雌ねじ１ｄに螺合可能な割り雄ねじ部材３を具えており、ここにおける割り雄ねじ部材３も二分割されていて、その各半部３ａは、図１１に示すように、雄ねじの全周の一部（図示例では概略１／４）をなす雄ねじ部３ｂを有するとともに、上記雄ねじの軸線方向（図８（ａ）および図１１（ａ）では左右方向）に延在してその半部３ａを厚み方向に貫通するピン孔３ｄを有している。
【００３２】
さらにこの第２実施例のワンアクション固定具は、図８に示すように、円筒状のハンドルカバー４ｄと、そのハンドルカバー４ｄ内にある程度の部分を挿入されたハンドル本体４ｅと、そのハンドル本体４ｅに一体的に突設されて中心軸線Ｃ上に位置するストッパーピン４ｆとを有するハンドル４を具えるとともに、蓋部２ｃと同径で蓋部２ｃと中心軸線Ｃを共通にしてハンドルカバー４ｄの一端部にその蓋部２ｃを連結固定する連結部材７を具えており、ここにおける連結部材７は、図１２に示すように、ハンドルカバー４ｄ内に嵌まり合う凸部７ａと、蓋部２ｃの案内長孔２ｉに対応して中心軸線Ｃに関し対称に位置して中心軸線Ｃに対し周方向に弓形にある程度（図示例では概略４５°）に亘って延在し、上記ねじ孔２ｈに締着固定される小ねじの頭部を上記周方向に移動可能に収容する二つの逃げ溝７ｂと、蓋部２ｃのねじ孔２ｊに対応して形成された四つの座ぐり付きねじ孔７ｃと、連結部材７の中心軸線Ｃ上に位置する中心孔７ｄとを有し、各ねじ孔７ｃにハンドル４の側から挿通した図示しない小ねじを蓋部２ｃのねじ孔２ｊに締着固定することで、その蓋部２ｃに一体的に結合固定されている。
【００３３】
そしてここにおけるハンドル４のハンドルカバー４ｄは、図１３に示すように何れも中心軸線Ｃに関し対称に位置して雌ねじが切られた二対のねじ孔４ｇ，４ｈを有し、またハンドル本体４ｅは、図１４に示すように中心軸線Ｃに関し対称に位置して軸線方向に延在する二本の案内溝４ｉを有しており、連結部材７は、図８（ａ）に示すように、ハンドルカバー４ｄ内に嵌合し凸部７ａをハンドルカバー４ｄの一方の対のねじ孔４ｇ内に螺合したイモねじ８で挟持することで、そのハンドルカバー４ｄに一体的に結合固定され、またハンドル本体４ｅは、ハンドルカバー４ｄ内にそのハンドル本体４ｅを挿入して、ハンドルカバー４ｄの他方の対のねじ孔４ｈに螺合したイモねじ９を案内溝４ｉ内に掛合させることで、ハンドルカバー４ｄに対し回動を規制されつつ進退移動することができる。
【００３４】
さらにこの第２実施例のワンアクション固定具は、上記割り雄ねじ部材３を、把持軸２に対するハンドル４の、その割り雄ねじ部材３の雄ねじ部３ｂのねじ込み方向の回動により拡径させ、その割り雄ねじ部材３の雄ねじ部３ｂの戻り方向の回動により縮径させるカム機構５を具えており、ここにおけるカム機構５は、割り雄ねじ部材３の二個の半部３ａにそれぞれ形成されたピン孔３ｄ内にそれぞれ圧入されて基部を固定されるとともに把持軸２の半径方向に対し傾斜して延在する蓋部２ｃの二つのカム長孔２ｌ内に摺動可能に嵌め合わされた従動節としての二本のピン５ａと、それらのカム長孔２ｌを形成されたカムとしての上記蓋部２ｃとを有している。
【００３５】
なお、割り雄ねじ部材３を拡径させた状態で、ハンドルカバー４ｄに対しハンドル本体４ｅを奥に入る方向に前進移動させると、ハンドル本体４ｅに設けられたストッパーピン４ｆが、連結部材７の中心孔７ｄおよび蓋部２ｃの中心孔２ｋを貫通して、図１５に示すように、拡径位置に有る割り雄ねじ部材３の各半部３ａの半径方向内方端部の半径方向内方の縮径防止位置に移動し、また割り雄ねじ部材３を拡径させた状態で、ハンドルカバー４ｄに対しハンドル本体４ｅを出てくる方向に後退移動させると、ハンドル本体４ｅに設けられたストッパーピン４ｆが、図８に示すように、割り雄ねじ部材３の各半部３ａの半径方向内方端部から図８では軸線方向右方に外れた縮径許容位置に移動する。
【００３６】
かかる第２実施例のワンアクション固定具にあっては、ハンドルカバー４ｄに対しハンドル本体４ｅを出てくる方向に後退移動させてストッパーピン４ｆを縮径許容位置に移動させてから、把持軸２に対してハンドル４を割り雄ねじ部材３の雄ねじ部３ｂの戻り方向（雄ねじ部３ｂが右ねじの場合はハンドル４の手前端から見て反時計方向）に回動させると、カム機構５が割り雄ねじ部材３を図８中実線で示すように縮径させ、これにより固定具本体１の基部１ａの支持孔１ｃに対し把持軸２の軸部２ａが摺動可能となるので、ハンドル４の押し引き操作で把持軸２の軸部２ａの先端と固定具本体１の当接部１ｂとの間の空間に対するポール等の軸の出し入れが可能となる。
【００３７】
そして図１５に示すように、把持軸２の軸部２ａの先端と固定具本体１の当接部１ｂとの間の空間にポール等の軸６を配置した状態で、把持軸２の軸部２ａの先端をその軸６に当接させて摩擦で把持軸２を回りにくくして、把持軸２に対しハンドル４を割り雄ねじ部材３の雄ねじ部３ｂのねじ込み方向（雄ねじ部３ｂが右ねじの場合はハンドル４の手前端から見て時計方向）に回動させると、先ずカム機構５が割り雄ねじ部材３を図１５中破線で示すとともに図８中仮想線で示すように拡径させ、これにより割り雄ねじ部材３の雄ねじ部３ｂが固定具本体１の基部１ａの雌ねじ１ｄと螺合し、ハンドル４と共に割り雄ねじ部材３および把持軸２が回動してねじの作用でポール等の軸６をその固定具本体１の当接部１ｂと把持軸２の軸部２ａとで挟み、締め付けて固定する。そしてこの状態でハンドルカバー４ｄに対しハンドル本体４ｅを奥に入る方向に前進移動させてストッパーピン４ｆを縮径防止位置に移動させると、ストッパーピン４ｆが割り雄ねじ部材の各半部３ａの半径方向内方端部と当接してその縮径を防止する。
【００３８】
またその固定状態で、ハンドル本体４ｅをハンドルカバー４ｄに対して後退移動させてストッパーピン４ｆを割り雄ねじ部材３の半径方向内方端部から軸線方向に外れた縮径許容位置に後退移動させてから、ハンドル４を割り雄ねじ部材３の雄ねじ部３ｂの戻り方向に回動させると、把持軸２はポール等の軸６に当接して回りにくくなっているので、先ずカム機構５が割り雄ねじ部材３を図８中実線で示すように縮径させ、これにより割り雄ねじ部材３が固定具本体１の基部１ａの雌ねじ１ｄから外れ、先のように固定具本体１の基部１ａの支持孔１ｃに対し把持軸２の軸部２ａが摺動可能となるので、ハンドル４の押し引き操作で把持軸２の先端と固定具本体１の当接部１ｂとの間の空間に対するポール等の軸６の出し入れが可能となる。
【００３９】
従って、この第２実施例のワンアクション固定具によれば、９０°程度ハンドル４を回動させるだけでねじを利用した把持力を得ることができるので、ハンドル４を持ち替えることなく着脱作業を行い得て着脱作業の負担を軽減し得ると共に、着脱に要する時間を大幅に短縮することができる。
【００４０】
それゆえこの第２実施例のワンアクション固定具によれば、迅速な作業が要求される救急部門や看護師の仕事等の医療分野で、医療要機器をスタンドのポール等に固定する作業の負担軽減と時間短縮とをもたらすことができ、また高齢者や身体障害者等に対する福祉分野で、手先が不自由な高齢者や身体障害者でも器具等の固定を容易に行い得るようにすることができる。
【００４１】
しかもこの第２実施例のワンアクション固定具によれば、割り雄ねじ部材３が二つの半部３ａに二分割されているので、三分割以上の場合と比較して摺動抵抗を少なくして拡縮径を容易なものとすることができる。
【００４２】
さらにこの第２実施例のワンアクション固定具によれば、カム機構５が、割り雄ねじ部材３の半部３ａに突設されたピン５ａと、カム長孔２ｌを形成された蓋部２ｃとを有していて、その蓋部２ｃを、連結部材７を介してハンドル４のハンドルカバー４ｄに固定するとともに約４５°旋回可能に把持軸２の大径部２ｂに連結し、ピン５ａを割り雄ねじ部材３に隣接する蓋部２ｃのカム長孔２ｌと嵌合させていることから、把持軸２とハンドル４とを連結しつつ、ピン５ａに加わる曲げモーメントを小さくし得るので、ピン５ａの曲がりやカム長孔２ｌの内面の齧りを防止し得てカム機構５の耐久性を高めることができる。
【００４３】
さらにこの第２実施例のワンアクション固定具によれば、ハンドル４が、筒状のハンドルカバー４ｄと、そのハンドルカバー４ｄ内にそのハンドルカバー４ｄに対し回動規制されつつ進退移動可能に挿入されたハンドル本体４ｅと、そのハンドル本体４ｅに一体的に突設され、ハンドルカバー４ｄに対するハンドル本体４ｅの進退移動により、拡径位置に有る割り雄ねじ部材３の半径方向内方端部と当接する縮径防止位置と、割り雄ねじ部材３の半径方向内方端部から軸線方向に外れた縮径許容位置との間で進退移動するストッパーピン４ｆとを有していることから、拡径した割り雄ねじ部材３のねじの作用でポール等の軸６を固定具本体１の当接部１ｂと把持軸２とで挟み、締め付けて固定した後に、ハンドル本体４ｅをハンドルカバー４ｄに対して前進移動させておくことで、ストッパーピン４ｆが縮径防止位置に前進移動しているので、たとえハンドル４が誤って緩み方向に回されてカム機構５が割り雄ねじ部材３を縮径方向へ移動させようとしても、ストッパーピン４ｆが割り雄ねじ部材３の縮径を防止し、ひいては把持軸２の締付け力の意図しない急激な緩みを防止することができる。そして、当該固定具をポール等の軸６から外す必要がある場合には、ハンドル本体４ｅをハンドルカバー４ｄに対して後退移動させれば、割り雄ねじ部材３の縮径方向への移動を妨げないようにストッパーピン４ｆを後退移動させることができる。
【００４４】
以上、図示例に基づき説明したが、この発明は上述の例に限定されるものでなく、例えば、固定具本体１の当接部１ｂは、基部１ａと別体に形成されてボルト等で基部１ａに一体的に固定されても良く、また割り雄ねじ部材３は、三分割以上に分割されていても良く、さらにカム機構５は、上記ピン５ａと長孔３ｃとの組合せやピン５ａとカム長孔２ｌとの組合わせ以外の構成のものでも良い。そして上記実施例では把持軸２の先端を軸６に当接させて摩擦で把持軸２を回りにくくしてカム機構５を作動させているが、例えば基部１ａの支持孔１ｄの内周面に環状溝を形成し、そこにＯ（オー）リングを嵌着して、そのＯリングと把持軸２との摩擦でカム機構５を作動させるようにしても良い。また固定対象はポール等の軸に限られず机の天板等でも良い。
【図面の簡単な説明】
【図１】（ａ）および（ｂ）は、この発明のワンアクション固定具の一実施例を組み立て状態で示す縦断面図およびそのＡ−Ａ断面図である。
【図２】（ａ）および（ｂ）は、上記実施例のワンアクション固定具の固定具本体を示す半部断面図および側面図である。
【図３】（ａ）および（ｂ）は、上記実施例のワンアクション固定具の把持軸の軸部を示す正面図および側面図である。
【図４】（ａ）および（ｂ）は、上記実施例のワンアクション固定具の把持軸の割り雄ねじ部材案内部を示す正面図および側面図である。
【図５】（ａ）および（ｂ）は、上記実施例のワンアクション固定具のハンドルを示す正面図および側面図である。
【図６】（ａ）および（ｂ）は、上記実施例のワンアクション固定具の割り雄ねじ部材の半部を示す正面図および側面図である。
【図７】（ａ）および（ｂ）は、上記実施例のワンアクション固定具を軸に固定した状態で示す縦断面図およびそのＢ−Ｂ断面図である。
【図８】（ａ）および（ｂ）は、この発明のワンアクション固定具の第２実施例を組み立て状態で示す縦断面図およびそのＣ−Ｃ断面図である。
【図９】（ａ）および（ｂ）は、上記実施例のワンアクション固定具の把持軸の軸部および大径部を示す正面図および側面図である。
【図１０】（ａ）および（ｂ）は、上記実施例のワンアクション固定具の蓋部を示す正面図およびそのＤ−Ｄ線に沿う断面図である。
【図１１】（ａ）および（ｂ）は、上記実施例のワンアクション固定具の割り雄ねじ部材の半部を示す正面図および側面図である。
【図１２】（ａ）および（ｂ）は、上記実施例のワンアクション固定具の連結部材を示す正面図およびそのＥ−Ｅ線に沿う断面図である。
【図１３】（ａ）および（ｂ）は、上記実施例のワンアクション固定具のハンドルカバーを示す正面図および側面図である。
【図１４】（ａ）および（ｂ）は、上記実施例のワンアクション固定具のハンドル本体を示す正面図および側面図そのＥ−Ｅ線に沿う断面図である。
【図１５】（ａ）および（ｂ）は、上記実施例のワンアクション固定具を軸に固定した状態で示す縦断面図およびそのＦ−Ｆ断面図である。
【符号の説明】
１　固定具本体
１ａ　基部
１ｂ　当接部
１ｃ　支持孔
１ｄ　雌ねじ
２　把持軸
２ａ　軸部
２ｂ　大径部
２ｃ　蓋部
２ｄ　凸部
２ｅ　案内溝
２ｆ　外周溝
２ｇ　長孔
２ｈ　ねじ孔
２ｉ　案内長孔
２ｊ　ねじ孔
２ｋ　中心孔
２ｌ　カム長孔
３　割り雄ねじ部材
３ａ　半部
３ｂ　雄ねじ部
３ｃ　長孔
３ｄ　ピン孔
４　ハンドル
４ａ　中央孔
４ｂ　半径方向ねじ孔
４ｃ　ピン孔
４ｄ　ハンドルカバー
４ｅ　ハンドル本体
４ｆ　ストッパーピン
４ｇ　ねじ孔
４ｈ　ねじ孔
４ｉ　案内溝
５　カム機構
５ａ　ピン
６　軸
７　連結部材
７ａ　凸部
７ｂ　逃げ溝
７ｃ　ねじ孔
７ｄ　中心孔
８　イモねじ
９　イモねじ
【図１】
2004049892.tif 000003
【図２】
2004049892.tif 000004
【図３】
2004049892.tif 000005
【図４】
2004049892.tif 000006
【図５】
2004049892.tif 000007
【図６】
2004049892.tif 000008
【図７】
2004049892.tif 000009
【図８】
2004049892.tif 000010
【図９】
2004049892.tif 000011
【図１０】
2004049892.tif 000012
【図１１】
2004049892.tif 000013
【図１２】
2004049892.tif 000014
【図１３】
2004049892.tif 000015
【図１４】
2004049892.tif 000016
【図１５】
2004049892.tif 000017